(57)【要約】【課題】化学物質毒性試験の各種試験に対応した項目を有する帳票を簡単に作成する。【解決手段】使用頻度更新手段６２により、帳票の出力の際に用いた帳票形式テーブル毎の使用頻度を、各試験種別毎の使用頻度として更新する。帳票４７，４８を出力するときに、帳票形式テーブル出力手段６３により、各試験種別毎に使用頻度が最も高い帳票形式テーブルを最高使用頻度帳票形式テーブルとして求め、帳票出力手段６１に出力する。帳票出力手段６１では、最高使用頻度帳票形式テーブルを用いて、複数の出力項目、その出力項目に対応する症状変化データのデータ記入領域を有するテンプレートを作成する。データ挿入手段６６により、テンプレートを用いてデータ記入領域に、対応する生体の症状変化データを挿入し帳票４７，４８を作成する。使用頻度の高い帳票形式テーブルを用いてテンプレートを作成するため、テンプレートを新たに作成する手間が少なくなる。【選択図】図５
2012078934.tif 000002
【特許請求の範囲】
【請求項１】
化学物質を生体に投与した際の生体の症状変化データを複数の出力項目に分けて表示して帳票を出力する化学物質毒性試験の帳票出力システムであって、
前記複数の出力項目について表示方法を変えた複数の帳票形式テーブルを有する帳票形式テーブル記憶手段と、
前記複数の帳票形式テーブルのいずれか一つを用いて、前記複数の出力項目、その出力項目に対応する前記症状変化データのデータ記入領域を有するテンプレートを作成し、前記テンプレートを用いて前記データ記入領域に、対応する前記生体の症状変化データを挿入して前記帳票を出力する帳票出力手段と、
前記帳票の出力の際に用いた前記帳票形式テーブル毎の使用頻度を、前記化学物質毒性試験の試験種別毎に求めて、前記試験種別毎の使用頻度として更新する使用頻度更新手段と、
前記帳票出力手段により帳票を出力するときに、前記使用頻度更新手段から前記化学物質毒性試験の試験種別毎に使用頻度が最も高い前記帳票形式テーブルを最高使用頻度帳票形式テーブルとして求め、この最高使用頻度帳票形式テーブルを前記テンプレート作成用に前記帳票出力手段に出力する最高使用頻度の帳票形式テーブル出力手段と
を有することを特徴とする化学物質毒性試験の帳票出力システム。
【請求項２】
前記帳票出力手段は、前記最高頻度帳票形式テーブルを表示し、この表示された帳票形式テーブルの修正及び無修正の一方を選択させ、修正が選択されたときに、上記帳票形式テーブルの各出力項目を表示し、各出力項目の位置の入れ換え、削除、挿入のいずれかの操作を受け付けて該帳票形式テーブルの修正を行う帳票形式テーブル修正手段を有し、前記無修正が選択されたときの無修正の帳票形式テーブル、または前記修正済の帳票形式テーブルのいずれかを用いて前記テンプレートを作成することを特徴とする請求項１記載の化学物質毒性試験の帳票出力システム。
【請求項３】
前記テンプレートは、前記生体の症状変化データから必要な出力項目が選択されて並べられる出力項目行及び／または出力項目列と、前記出力項目列及び／または出力項目行の対応する位置で前記生体の症状変化データが入れられるデータ入力領域とを有し、
前記使用頻度更新手段は、前記試験種別毎の前記帳票形式テーブルの使用頻度と、前記出力項目列及び／または出力項目列の出力項目の一つを複数の小項目に分けて、この複数の小項目の並び順位の出現頻度とを求め、
前記帳票出力手段は、前記最も使用頻度が高い帳票形式テーブルを用い、前記小項目の並び順を出現頻度の高い順に並べ、前記テンプレートを作成することを特徴とする請求項２記載の化学物質毒性試験の帳票出力システム。
【請求項４】
前記生体の症状変化データは、所見の強さを示すグレード、器官、所見名、解剖時状態及び腫瘍性有無を含み、
前記所見名の集計をグレード別またはグレード一括のいずれかで表示するための第１所見集計表示方法と、前記解剖時状態の集計を個別または一括して表示するための第２所見集計表示方法と、前記腫瘍性の有無を表示するための腫瘍性表示方法との組み合わせにより、前記帳票形式テーブルが構成されることを特徴とする請求項３記載の化学物質毒性試験の帳票出力システム。
【請求項５】
前記小項目は各器官名であることを特徴とする請求項４記載の化学物質毒性試験の帳票出力システム。
【請求項６】
前記帳票形式テーブルの修正が選択されたときに、前記帳票形式テーブル修正手段による修正を行う前に、用いる使用頻度を現在用いて作成した使用頻度とは異なる使用頻度を選択可能にし、選択された使用頻度を用いて前記帳票を出力することを特徴とする請求項２から５いずれか１項記載の化学物質毒性試験の帳票出力システム。
【請求項７】
ユーザを識別するユーザー識別手段を有し、
前記使用頻度更新手段は、ユーザ全体の使用頻度の他に、各ユーザ毎に使用頻度を更新し、
前記帳票作成手段は、全体使用頻度またはユーザ使用頻度のいずれかを選択させ、ユーザ使用頻度が選択されたときに前記ユーザ識別情報に基づき前記使用頻度更新手段から対応するユーザの使用頻度を求めて前記帳票を出力することを特徴とする請求項２から６いずれか１項記載の化学物質毒性試験の帳票出力システム。
【請求項８】
前記ユーザ識別手段は、前記ユーザの所属グループを識別し、
前記使用頻度更新手段は、さらに各ユーザの所属グループ毎に使用頻度を更新し、
前記帳票作成手段は、全体使用頻度、ユーザ使用頻度、ユーザ所属グループ使用頻度のいずれかを選択させ、ユーザ所属グループ使用頻度が選択されたときに前記ユーザ識別情報に基づき前記使用頻度更新手段から対応するユーザ所属グループの使用頻度を求めて前記帳票を出力することを特徴とする請求項７記載の化学物質毒性試験の帳票出力システム。
【請求項９】
前記使用頻度更新手段は、
前記データ出力順位の各試験種別における使用頻度Ｏs,dを
【数５】
2012078934.tif 000007
から算出することを特徴とする請求項３から５いずれか１項記載の化学物質毒性試験の帳票出力システム。
【請求項１０】
前記使用頻度更新手段は、
前記テンプレートの使用頻度Ｆs,fを
【数６】
2012078934.tif 000008
から算出することを特徴とする請求項１から９いずれか１項記載の化学物質毒性試験の帳票出力システム。
【請求項１１】
化学物質を生体に投与した際の生体の症状変化データを複数の出力項目に分けて表示して帳票を出力する化学物質毒性試験の帳票出力方法であって、
前記複数の出力項目について表示方法を変えた複数の帳票形式テーブルを保持する帳票形式テーブル保持ステップと、
前記複数の帳票形式テーブルのいずれか一つを用いて、前記複数の出力項目、その出力項目に対応する前記症状変化データのデータ記入領域を有するテンプレートを作成し、前記テンプレートを用いて前記データ記入領域に、対応する前記生体の症状変化データを挿入して前記帳票を出力する帳票出力ステップと、
前記帳票の出力の際に用いた前記帳票形式テーブル毎の使用頻度を、前記化学物質毒性試験の試験種別毎に求めて、前記試験種別毎の使用頻度として更新する使用頻度更新ステップと、
前記帳票出力ステップにより帳票を出力するときに、前記使用頻度更新ステップにおいて前記化学物質毒性試験の試験種別毎に使用頻度が最も高い前記帳票形式テーブルを、最高使用頻度帳票形式テーブルとして求め、この最高使用頻度帳票形式テーブルを前記テンプレート作成用に前記帳票出力ステップに出力する最高使用頻度の帳票形式テーブル出力ステップと
を有することを特徴とする化学物質毒性試験の帳票出力方法。
【請求項１２】
化学物質を生体に投与した際の生体の症状変化データを複数の出力項目に分けて表示して帳票を出力する化学物質毒性試験の帳票出力機能をコンピュータに実現させるためのプログラムであって、
前記複数の出力項目について表示方法を変えた複数の帳票形式テーブルを保持する帳票形式テーブル保持機能と、
前記複数の帳票形式テーブルのいずれか一つを用いて、前記複数の出力項目、その出力項目に対応する前記症状変化データのデータ記入領域を有するテンプレートを作成し、前記テンプレートを用いて前記データ記入領域に、対応する前記生体の症状変化データを挿入して前記帳票を出力する帳票出力機能と、
前記帳票の出力の際に用いた前記帳票形式テーブル毎の使用頻度を、前記化学物質毒性試験の試験種別毎に求めて、前記試験種別毎の使用頻度として更新する使用頻度更新機能と、
前記帳票出力ステップにより帳票を出力するときに、前記使用頻度更新機能において前記化学物質毒性試験の試験種別毎に使用頻度が最も高い前記帳票形式テーブルを、最高使用頻度帳票形式テーブルとして求め、この最高使用頻度帳票形式テーブルを前記テンプレート作成用に前記帳票出力機能に出力する最高使用頻度の帳票形式テーブル出力機能と
をコンピュータに実現させることを特徴とする化学物質毒性試験の帳票出力プログラム。
【発明の詳細な説明】
【技術分野】
【０００１】
本発明は、化学物質毒性試験の帳票出力システム及び帳票出力方法並びに帳票出力プログラムに関する。
【背景技術】
【０００２】
化学物質毒性試験とは、医薬品、農薬、化粧品・食品・食品添加物・工業化学物質、環境汚染物質等の各種化学物質について、人や生物に好ましくない作用（毒性）の有無またはその強さの程度を調べるための試験であり、通常はラットやマウス等の動物が使用される。
【０００３】
動物を使用した化学物質毒性試験には、単回投与毒性試験、反復投与毒性試験、生殖・発生毒性試験、遺伝毒性試験、がん原性試験、免疫毒性試験などの各種試験が行われる。例えば、単回投与毒性試験では、１回または短時間での数回投与で、死亡または機能の破壊が怒るような毒性を検出する。反復投与毒性試験では、候補物質を繰り返し投与し、明らかな毒性変化を示す用量とその変化の内容及び毒性変化の認められない用量を求める。生殖・発生毒性試験は、候補物質の生殖・発生の過程における悪影響を検出する。遺伝毒性試験は、細胞遺伝物質（ＤＮＡ）に障害を起こす性質を検出し、主に発癌性の予測に使用される。がん原性試験は、動物においてがん原性の有無を明らかにし、人に対するリスクを評価する。免疫毒性試験は免疫系の機能に対する異常応答を評価し、免疫毒性を有する化合物を検出する。
【０００４】
上記各試験は、薬品を実際に動物に投与し、体重，餌，水，尿等の量の測定、生化学検査，血液学的検査，臨床症状の観察，各種の病理所見等を行い、採取したこれらの症状変化データを分析することによって行われる。このような毒性試験は、多種多様で且つ大量のデータを扱うため、コンピュータシステムが用いられている。また、薬品が生体に及ぼす影響を正確に理解し、分析するためには、各試験毎に最適なデータ出力の帳票を用いて、データを各項目毎に順序立てて表示し、整理しなおす必要がある。
【０００５】
このような症状変化データの管理システムとしては、例えば、特許文献１に、テンプレートのセルにキーワードが配置されたスプレッドシートをデータ印字用のテンプレートとして用い、このスプレッドシートのキーワードに対応する領域に、データを挿入または置換して、データ出力される帳票の自由度を高くした薬品試験データ管理システムが開示されている。
【先行技術文献】
【特許文献】
【０００６】
【特許文献１】特開２００２−１１６７４３号公報
【発明の概要】
【発明が解決しようとする課題】
【０００７】
特許文献１のシステムでは、出力したい帳票の種類に応じて複数種類のデータ印字用のテンプレートを用意し、これをユーザに選択させている。そして選択させたテンプレートの文字列にキーワードが配置されたワードプロセッサソフトの前記キーワードに対応する領域に、データ格納手段に格納されたデータを、データ挿入・置換手段により、挿入及び／または置換することにより、複数のテンプレートを用いて出力形式を変えた帳票を作成している。また、ワードプロセッサソフトの代わりにスプレッドシートを用いて、スプレッドシートのキーワードに対応する領域に、データ格納手段で格納されたデータを、データ挿入・置換手段により、挿入及び／または置換することにより、同様にして出力形式を変えた帳票を作成している。しかしながら、特許文献１のシステムでは、複数のテンプレートから出力形式を選択する方式であるため、自由度があるといっても、予め容易されたテンプレートの中から選択するだけであり、選択肢が少ないぶんだけ自由度が制限されるという問題がある。しかも、毒性試験では膨大で多種多様なデータを扱うため、試験の度にテンプレートを選択することは、ユーザにとって大きな負担となっている。
【０００８】
本発明は、上記課題を鑑みてなされたものであり、ユーザーの帳票作成時の作業を少なくし、各試験に最適な帳票を効率よく作成することができる化学物質毒性試験の帳票出力システム及び帳票出力方法並びに帳票出力プログラムの提供を目的とする。
【課題を解決するための手段】
【０００９】
本発明は、上記の目的を達成するため、化学物質を生体に投与した際の生体の症状変化データを複数の出力項目に分けて表示して帳票を出力する化学物質毒性試験の帳票出力システムであって、前記複数の出力項目について表示方法を変えた複数の帳票形式テーブルを有する帳票形式テーブル記憶手段と、前記複数の帳票形式テーブルのいずれか一つを用いて、前記複数の出力項目、その出力項目に対応する前記症状変化データのデータ記入領域を有するテンプレートを作成し、前記テンプレートを用いて前記データ記入領域に、対応する前記生体の症状変化データを挿入して前記帳票を出力する帳票出力手段と、前記帳票の出力の際に用いた前記帳票形式テーブル毎の使用頻度を、前記化学物質毒性試験の試験種別毎に求めて、前記試験種別毎の使用頻度として更新する使用頻度更新手段と、前記帳票出力手段により帳票を出力するときに、前記使用頻度更新手段から前記化学物質毒性試験の試験種別毎に使用頻度が最も高い前記帳票形式テーブルを最高使用頻度帳票形式テーブルとして求め、この最高使用頻度帳票形式テーブルを前記テンプレート作成用に前記帳票出力手段に出力する最高使用頻度の帳票形式テーブル出力手段とを有することを特徴とする。
【００１０】
また、前記帳票出力手段は、前記最高頻度帳票形式テーブルを表示し、この表示された帳票形式テーブルの修正及び無修正の一方を選択させ、修正が選択されたときに、上記帳票形式テーブルの各出力項目を表示し、各出力項目の位置の入れ換え、削除、挿入のいずれかの操作を受け付けて該帳票形式テーブルの修正を行う帳票形式テーブル修正手段を有し、前記無修正が選択されたときの無修正の帳票形式テーブル、または前記修正済の帳票形式テーブルのいずれかを用いて前記テンプレートを作成することを特徴とする。
【００１１】
前記テンプレートは、前記生体の症状変化データから必要な出力項目が選択されて並べられる出力項目行及び／または出力項目列と、前記出力項目列及び／または出力項目行の対応する位置で前記生体の症状変化データが入れられるデータ入力領域とを有し、前記使用頻度更新手段は、前記試験種別毎の前記帳票形式テーブルの使用頻度と、前記出力項目列及び／または出力項目列の出力項目の一つを複数の小項目に分け、この複数の小項目の並び順位の出現頻度とを求め、前記帳票出力手段は、前記最も使用頻度が高い帳票形式テーブルを用い、前記小項目の並び順を出現頻度の高い順に並べ、前記テンプレートを作成することを特徴とする。
【００１２】
前記生体の症状変化データは、所見の強さを示すグレード、器官、所見名、解剖時状態及び腫瘍性有無を含み、前記所見名の集計をグレード別またはグレード一括のいずれかで表示するための第１所見集計表示方法と、前記解剖時状態の集計を個別または一括して表示するための第２所見集計表示方法と、前記腫瘍性の有無を表示するための腫瘍性表示方法との組み合わせにより、前記帳票形式テーブルが構成されることを特徴とする。なお、前記小項目は各器官名であることが好ましい。
【００１３】
前記帳票形式テーブルの修正が選択されたときに、前記帳票形式テーブル修正手段による修正を行う前に、用いる使用頻度を現在用いて作成した使用頻度とは異なる使用頻度を選択可能にし、選択された使用頻度を用いて前記帳票を出力することが好ましい。また、ユーザを識別するユーザー識別手段を有し、前記使用頻度更新手段は、ユーザ全体の使用頻度の他に、各ユーザ毎に使用頻度を更新し、前記帳票作成手段は、全体使用頻度またはユーザ使用頻度のいずれかを選択させ、ユーザ使用頻度が選択されたときに前記ユーザ識別情報に基づき前記使用頻度更新手段から対応するユーザの使用頻度を求めて前記帳票を出力することが好ましい。さらには、前記ユーザ識別手段は、前記ユーザの所属グループを識別し、前記使用頻度更新手段は、さらに各ユーザの所属グループ毎に使用頻度を更新し、前記帳票作成手段は、全体使用頻度、ユーザ使用頻度、ユーザ所属グループ使用頻度のいずれかを選択させ、ユーザ所属グループ使用頻度が選択されたときに前記ユーザ識別情報に基づき前記使用頻度更新手段から対応するユーザ所属グループの使用頻度を求めて前記帳票を出力することが好ましい。
【００１４】
前記使用頻度更新手段は、前記データ出力順位の各試験種別における使用頻度Ｏs,dを
【数１】
2012078934.tif 000003
から算出することが好ましい。
【００１５】
また、前記使用頻度更新手段は、前記テンプレートの使用頻度Ｆs,fを
【数２】
2012078934.tif 000004
から算出することが好ましい。
【００１６】
また、本発明では、化学物質を生体に投与した際の生体の症状変化データを複数の出力項目に分けて表示して帳票を出力する化学物質毒性試験の帳票出力方法であって、前記複数の出力項目について表示方法を変えた複数の帳票形式テーブルを保持する帳票形式テーブル保持ステップと、前記複数の帳票形式テーブルのいずれか一つを用いて、前記複数の出力項目、その出力項目に対応する前記症状変化データのデータ記入領域を有するテンプレートを作成し、前記テンプレートを用いて前記データ記入領域に、対応する前記生体の症状変化データを挿入して前記帳票を出力する帳票出力ステップと、前記帳票の出力の際に用いた前記帳票形式テーブル毎の使用頻度を、前記化学物質毒性試験の試験種別毎に求めて、前記試験種別毎の使用頻度として更新する使用頻度更新ステップと、前記帳票出力ステップにより帳票を出力するときに、前記使用頻度更新ステップにおいて前記化学物質毒性試験の試験種別毎に使用頻度が最も高い前記帳票形式テーブルを、最高使用頻度帳票形式テーブルとして求め、この最高使用頻度帳票形式テーブルを前記テンプレート作成用に前記帳票出力ステップに出力する最高使用頻度の帳票形式テーブル出力ステップとを有することを特徴とする。
【００１７】
また、本発明は、化学物質を生体に投与した際の生体の症状変化データを複数の出力項目に分けて表示して帳票を出力する化学物質毒性試験の帳票出力機能をコンピュータに実現させるためのプログラムであって、前記複数の出力項目について表示方法を変えた複数の帳票形式テーブルを保持する帳票形式テーブル保持機能と、前記複数の帳票形式テーブルのいずれか一つを用いて、前記複数の出力項目、その出力項目に対応する前記症状変化データのデータ記入領域を有するテンプレートを作成し、前記テンプレートを用いて前記データ記入領域に、対応する前記生体の症状変化データを挿入して前記帳票を出力する帳票出力機能と、前記帳票の出力の際に用いた前記帳票形式テーブル毎の使用頻度を、前記化学物質毒性試験の試験種別毎に求めて、前記試験種別毎の使用頻度として更新する使用頻度更新機能と、前記帳票出力ステップにより帳票を出力するときに、前記使用頻度更新機能において前記化学物質毒性試験の試験種別毎に使用頻度が最も高い前記帳票形式テーブルを、最高使用頻度帳票形式テーブルとして求め、この最高使用頻度帳票形式テーブルを前記テンプレート作成用に前記帳票出力機能に出力する最高使用頻度の帳票形式テーブル出力機能とをコンピュータに実現させることを特徴とする。
【発明の効果】
【００１８】
本発明によれば、帳票の出力の際に用いた帳票形式テーブル毎の使用頻度を、化学物質毒性試験の試験種別毎に求めて、試験種別毎の使用頻度として更新しておき、帳票を出力するときに、使用頻度更新手段から化学物質毒性試験の試験種別毎に使用頻度が最も高い前記帳票形式テーブルを最高使用頻度帳票形式テーブルとして求め、この最高使用頻度帳票形式テーブルをテンプレート作成用に用いるので、使用頻度の高い帳票が提示されるため、新たに帳票を作成したり、修正したりする必要が少なくなり、その分だけ帳票を効率よく出力することができる。
【図面の簡単な説明】
【００１９】
【図１】本発明の化学物質毒性試験の帳票出力システムの構成図である。
【図２】各端末およびサーバを構成するコンピュータの概略を示す構成図である。
【図３】帳票作成端末の概略構成及び帳票形式設定画面を示す図である。
【図４】本発明の化学物質毒性試験の帳票出力システムの動作を説明するフローチャートである。
【図５】本発明の化学物質毒性試験の帳票出力システムの機能ブロック図である。
【図６】帳票形式選択テーブルの一例を示す図である。
【図７】使用頻度データテーブルの一例を示す図である。
【図８】出力順位の出現頻度データテーブルの一例を示す図である。
【図９】テンプレートの一例を示す図である。
【図１０】図９のテンプレートを用いて作成した帳票の一例を示す図である。
【図１１】形式Ｃの帳票形式を用いて作成した帳票の一例を示す図である。
【発明を実施するための形態】
【００２０】
図１において、化学物質毒性試験の帳票を出力する帳票出力システム１０は医薬品研究所などの研究施設に構築され、各研究室１１，１２に設置される帳票作成端末１３と、例えば管理室１４に設置されるデータベース（以下、ＤＢと略す）サーバ１５と、これらを通信可能に接続するネットワーク１６とを備える。ネットワーク１６は、例えば研究所に敷設されたＬＡＮ（Local Area Network)である。
【００２１】
各端末１３およびＤＢサーバ１５は、それぞれ、パーソナルコンピュータ、サーバ用コンピュータ、ワークステーションといったコンピュータをベースに、オペレーティングシステム等の制御プログラムや、クライアントプログラム又はサーバプログラムといったアプリケーションプログラムをインストールして構成される。
【００２２】
図２において、各端末１３およびＤＢサーバ１５を構成するコンピュータは、基本的な構成は略同じであり、それぞれ、ＣＰＵ２０、メモリ２１、ストレージデバイス２２、ＬＡＮポート２３、およびコンソール２４を備えている。これらはデータバス２５を介して相互接続されている。
【００２３】
ストレージデバイス２２は、例えば、ＨＤＤ（Hard Disk Drive）である。ストレージデバイス２２には、制御プログラムやアプリケーションプログラム（以下、ＡＰという）２６が格納される。ＤＢサーバ１５には、プログラムを格納するＨＤＤとは別に、ＤＢ用のストレージデバイス２２として、例えば、ＨＤＤを複数台連装したディスクアレイが設けられる。ディスクアレイは、ＤＢサーバ１５の本体に内蔵されるものでもよいし、本体とは別に設けられ、本体にケーブルやネットワークを通じて接続されるものでもよい。
【００２４】
メモリ２１は、ＣＰＵ２０が処理を実行するためのワークメモリである。ＣＰＵ２０は、ストレージデバイス２２に格納された制御プログラムをメモリ２１へロードして、プログラムに従った処理を実行することにより、コンピュータの各部を統括的に制御する。ＬＡＮポート２３は、ネットワーク１６との間の伝送制御を行うネットワークインタフェースである。コンソール２４は、ディスプレイ２７と、キーボードやマウス等の入力デバイス２８とからなる。
【００２５】
帳票作成端末１３には、ＡＰ２６として、各種試験のデータを入力し、編集するための帳票作成支援を行うソフトウエアであるクライアントプログラムがインストールされている。また、ＤＢサーバ１５には、ＡＰ２６として、クライアントである各端末１３からの要求に応じて処理を実行し、処理結果を応答するサーバプログラムがインストールされている。
【００２６】
ＤＢサーバ１５には、化学物質毒性試験ＤＢ１９が構築されている。この試験ＤＢ１９は、化学物質毒性試験の入力データ格納部１９ａ、履歴データ格納部１９ｂ、保護データ格納部１９ｃ、マスタテーブル格納部１９ｄを備えている。入力データ格納部１９ａには、化学物質毒性試験の入力データが格納される。履歴データ格納部１９ｂには、後に説明するように、各試験毎のテンプレートの使用頻度や、各試験毎に、項目中のデータの並び順の出現頻度が格納される。保護データ格納部１９ｃには、入力が確定したものにつき改竄などができないようにした保護データが格納される。マスタテーブル格納部１９ｄには、化学物質毒性試験の帳票出力システムに必要な各種マスタテーブルが格納される。
【００２７】
図１に示すように、帳票作成端末１３は、化学物質毒性試験の一般ユーザ１７と管理ユーザ１８とによって操作される。一般ユーザ１７は、例えば各研究室毎に所属が分けられており、複数の所属グループのいずれかに属する。この一般ユーザ１７は、試験情報登録、辞書登録、所見入力、所見解析・修正、帳票出力などの一般的な試験業務処理の操作権限を有する。管理ユーザ１８は、一般ユーザ１７の中から試験担当者として選ばれた者であり、一般ユーザ１７の操作権限の他に、最終化、マスタメンテナンス、一般ユーザ登録などのシステム全体の管理処理の操作権限をも有する。これら一般ユーザ１７及び管理ユーザ１８は、マスタメンテナンスの処理によってユーザＩＤ（identification）、名前、パスワード、所属ＩＤがそれぞれ登録されている。
【００２８】
図３において、帳票作成端末１３のＣＰＵ２０（図２参照）は、帳票作成支援用のＡＰ２６を起動すると、コンソール制御部３０、ＤＢアクセス部３１、及び編集処理部３２として機能する。そして、図４に示すステップＳ１〜Ｓ１１により各種処理が実行される。
【００２９】
図５は帳票出力システム１０を機能ブロック図で表したものであり、各ＡＰ２６の起動により、帳票作成端末１３及びＤＢサーバ１５（図１参照）に、帳票出力システム１０として、帳票形式テーブル記憶手段６０、帳票出力手段６１、使用頻度更新手段６２、及び帳票形式テーブル出力手段６３を発現する。
【００３０】
帳票形式テーブル記憶手段６０は、図３に示すＤＢアクセス部３１とＤＢサーバ１５のマスタテーブル格納部１９ｄとから構成されており、図６に示す帳票形式選択テーブル４２を記憶している。
【００３１】
帳票出力手段６１は、編集処理部３２（図３参照）から構成されており、帳票形式選択テーブル４２のいずれか一つの帳票形式を用いて、図９に示すように、複数の出力項目、その出力項目に対応する症状変化データのデータ記入領域４６ａ〜４６ｃを有するテンプレート４６を作成し、このテンプレート４６を用いてデータ記入領域４６ａ〜４６ｃに、対応する症状変化データを挿入して図１０及び図１１に示すような帳票４７，４８を出力する。
【００３２】
使用頻度更新手段６２は、帳票４７，４８の出力の際に用いた帳票形式テーブル毎の使用頻度を、化学物質毒性試験の試験種別毎に求めて、試験種別毎の使用頻度として更新する。具体的には、試験種別毎の帳票形式テーブルの使用頻度と、出力項目列及び／または出力項目列の出力項目の一つを複数の小項目に分けて、この複数の小項目の並び順位の出現頻度とを求め、これらにより各頻度を更新し、図７に示す使用頻度データテーブル４３及び図８に示す出現頻度データテーブル４４に記憶する。これら各頻度データテーブル４３，４４は、ＤＢサーバ１５の履歴データ格納部１９ｂに形成される。
【００３３】
帳票形式テーブル出力手段６３は、帳票出力手段６１により帳票を出力するときに、使用頻度更新手段６２の使用頻度データテーブル４３（図７参照）から化学物質毒性試験の試験種別毎に使用頻度が最も高い帳票形式テーブルを最高使用頻度帳票形式テーブルとして求め、この最高使用頻度帳票形式テーブルをテンプレート作成用に帳票出力手段６１に出力する。また、小項目を採用している場合には、その出力順位の出現頻度データテーブル４４（図８参照）から対応する試験種別の小項目、例えば器官の出現頻度を求め、その出現頻度の高い順に、小項目である器官名を並べたデータを帳票出力手段６１に出力する。
【００３４】
前記帳票出力手段６１は、テンプレート作成手段６５、データ挿入手段６６、及び帳票形式テーブル修正手段６７から構成されている。テンプレート作成手段６５は、帳票形式テーブル出力手段６３からの最高使用頻度の帳票形式テーブル及び小項目がある場合にはその並び順のデータとに基づき図９に示すようなテンプレート４６を作成する。データ挿入手段６６は、作成されたテンプレート４６を用いて、そのデータ挿入領域４６ａ〜４６ｃに対して生体の症状変化データを挿入し、図１０，図１１に示すような帳票４７，４８を作成する。
【００３５】
帳票形式テーブル修正手段６７は、図３に示すようにディスプレイ２７に最高頻度帳票形式テーブルに基づく帳票形式設定画面４０を表示し、修正及び無修正の一方を選択させる。そして、修正が選択されたときに、各出力項目の位置の入れ換え、削除、挿入のいずれかの操作を受け付けて該帳票形式テーブルの修正を行う。帳票出力手段６１は、帳票形式テーブル修正手段による修正済の帳票形式テーブルを用いて上記同様にしてテンプレートを作成する。
【００３６】
以下、図４に示すフローチャートを参照して、本形態の作用を説明する。まず、帳票作成端末１３のディスプレイ２７に、ログイン画面を表示する（Ｓ１）。ログイン画面では、ユーザＩＤ、パスワード、検査種別が入力可能となる。検査種別では、マクロ、またはミクロの入力対象所見がラジオボタンで選択可能になっている。ここで、マクロ検査とは、摘出された臓器を肉眼的に観察する検査をいう。また、ミクロ検査は摘出された臓器の標本を作製し顕微鏡を用いて組織学的に観察する検査をいう。
【００３７】
ユーザＩＤとパスワードとが入力されると、予め記憶されているユーザＩＤ及びパスワードと照合され、これらが一致する場合にはログインが可能になる。ログイン後には、各種処理に応じてＧＵＩ（Graphical User Interface）による操作画面がディスプレイ２７に順に表示される。この操作画面により、各種試験のデータの入力や各種設定等の操作が可能になる。
【００３８】
ログイン後は、新規試験か既存試験かの選択画面が表示され、これらのいずれかが選択可能になる（Ｓ２）。新規試験が選択されると、新規にデータ入力を開始する試験の試験種別（単回投与、反復投与等）の選択画面、試験情報の登録画面、試験担当者の登録画面、観察対象器官の登録画面などが順にディスプレイ２７に表示され、これらの入力が行われる。これにより、新規試験につき、その試験種別や、その他の各種項目が登録され、新規試験に対してデータの入力などが可能になる。
【００３９】
また、既存試験が選択されると、既存の試験の選択画面が表示され、新規試験での各種登録画面の表示は省略される。既存試験の選択画面は、単回投与毒性試験、反復投与毒性試験、生殖・発生毒性試験、遺伝毒性試験、がん原性試験、免疫毒性試験などの試験について、現在入力中や既に入力が完了した試験の一覧表から構成されている。各試験毎に付された試験ＩＤや、各試験名称をクリックすることで、クリックした試験の各種処理画面に移ることができる。
【００４０】
試験の選択が終わると、選択された試験における各種試験データの入力処理画面となる（Ｓ３）。この各種試験データの入力画面では、器官状態，グレード，コメント等の所見データやその他の各種データの入力が可能になる。入力された各種データは、各試験毎に割り振られた試験ＩＤ毎に、ＤＢサーバ１５の入力データ格納部１９ａに格納される。入力が終了すると、この入力されたデータを用いて、所見を解析・修正する操作画面、試験情報を編集する操作画面、管理ユーザの承認により試験を最終化する最終化操作画面を経て、各種データ処理の入力や編集処理が終了する。本発明では、上記データ入力、所見の解析・修正、試験情報の編集、試験最終化の各操作は重要ではないので、単に各処理が行われることのみを示している。
【００４１】
データの入力処理が終了すると、帳票を作成するか否かの問い合わせ画面が表示されて、帳票を作成するか、データ入力完了で終了するかが選択される（Ｓ４）。帳票の作成が選択されると、図３のディスプレイ２７に、帳票形式設定画面４０が表示される。この帳票形式設定画面４０では、左側に帳票として表示すべき項目４９の名称が、右側にその選択内容が表示される。
【００４２】
なお、出力可能な帳票としては、集計表と個別表とがある。集計表は、全動物の所見入力数を総括したデータを記載した帳票であり、個別表は、各動物の所見を１匹ずつ記載した帳票である。本形態では、以下、集計表を例にとって説明しているが、個別表も集計表と同様にして作成することができる。個別表を出力する場合には、個別表用の帳票形式テーブルを用いる。
【００４３】
この帳票形式設定画面４０は、図６に示す帳票形式選択テーブル４２から選択した帳票形式タイプ、例えばタイプＫに基づき自動作成される。帳票形式タイプは、各試験種別毎に記憶した帳票形式テーブルの使用頻度データテーブル４３（図７参照）中の、最も使用頻度が高いものが選択される（Ｓ５）。
【００４４】
また、帳票形式選択テーブル４２中の各項目の少なくとも１つの項目が複数の小項目に細分化され、これら複数の小項目を並べて表示している場合には、その小項目、例えば器官名などのデータ出力順位が、小項目出力順位の出現頻度データテーブル４４（図８参照）に基づき特定される。具体的には、図８に示す小項目出力順位の出現頻度データテーブル４４において、該当する試験種別の出現頻度の高いものから順に並べられる。例えば図８に示すデータテーブル４４で、小項目が「器官名称」の場合には、Liver(肝臓)、Kidney(腎臓)、Lung(肺)、Spleen(脾臓)、Pancreas(すい臓)、Testis(睾丸)、Prostate(前立腺)の順に出現頻度が高いので、この順に器官名称が並べられて帳票が作成される。
【００４５】
以上のように、試験データの入力を終えて、その帳票出力処理が選択されると、試験種別を検索キーワードとして、図７の使用頻度データテーブル４３から、その試験種別における最も使用頻度の高い帳票形式が特定される。例えば反復投与毒性試験が選択されている場合には、使用頻度が０．２３と最も高い帳票形式Ｋが特定される。さらに、図８の小項目出力順位の使用頻度データテーブル４４に基づき、反復投与毒性試験での各器官の並べ方において、出現頻度が高い順に並べて表示される。このようにして、選択されたタイプＫの帳票形式において、小項目として各器官名が今までのその試験において出現頻度が高い順に並べられて、帳票形式が決定され、これがディスプレイ２７の帳票形式設定画面４０に表示される（Ｓ６）。
【００４６】
このようにして表示された帳票形式設定画面４０の項目４９やその並び順、内容で良ければ、図３の帳票形式設定画面４０の下部に示される帳票出力ボタン４５がクリックされる。このクリックにより、帳票形式テーブルを用いて作成されたテンプレート４６（図９参照）の各項目４９に対応するデータ入力領域４６ａ〜４６ｃに、各項目４９に対応する検査データがデータ挿入手段６６（図５参照）により挿入され、各検査データが入れられた帳票４７（図１０参照）が作成される（Ｓ１０）。
【００４７】
テンプレート４６は、各種項目のレイアウトを変えて複数種類作られている帳票形式選択テーブル４２の中から、最適の形式のもの（この場合には形式Ｋ）に基づき作成される。図３の帳票形式設定画面４０では、この帳票形式テーブル（形式Ｋ）で作成されるものを示している。帳票形式選択テーブル４２は、帳票に載せるべき各種項目とそのレイアウト位置を変えて複数種類作成したものであり、図６のテーブル４２では、Ａ〜Ｐの１６種の形式が選択可能になっている。なお、項目４９の数を増やしたり、並べる順序を変えることで、レイアウトの形式数は例えば５０やそれ以上に増やすことができる。帳票としては、例えば図６に示す帳票形式選択テーブル４２により作成される場合には、４項目に対して２種類の表示方法をそれぞれ選択しているため、その組み合わせ総数は１６となり、１６種類のテンプレートが作成される。
【００４８】
図１０，図１１は帳票４７，４８の一例を表している。図１０は形式Ｋで作成した帳票４７の一例であり、図１１は形式Ｃで作成した帳票４８の一例である。
【００４９】
以上のように、本形態では、最も使用頻度の高い形式及びデータ出力順を用いて帳票４７，４８を出力しているので、そのまま項目など修正することなく使用される傾向が高く、その分だけ修正処理を行う必要がないので、効率のよい帳票作成が可能になる。
【００５０】
帳票出力ボタン４５がクリックされることにより、用いた帳票出力形式タイプの試験種別における使用頻度が算出されて、履歴データ格納部１９ｂの使用頻度データが更新される。また、小項目、例えば器官名の並び順についてもその出現頻度が算出されて、履歴データ格納部１９ｂの並び順の出現頻度データが更新される（Ｓ１１）。
【００５１】
また、頻度データの更新の他に、帳票出力ボタン４５のクリックにより、ディスプレイ２７には帳票出力設定画面（図示せず）が表示され、画面への表示、ＤＢサーバ１５への格納、各種メモリデバイスへの出力、ハードコピィとしての印刷などの各種出力形態が選択可能になる。作成された帳票は、ＤＢサーバ１５への格納では、パスワードでの保護による保護データ格納部１９ｃへの格納の他に、パスワードでの保護がない入力データ格納部１９ａへの格納が選択可能になっており、いずれかに格納される。この場合に格納される帳票データは帳票ＩＤによって識別される。また、印刷する場合には、印刷ボタンをクリックすることにより、印刷設定画面に切り替わり、印刷に必要な各種設定が可能になり、この設定により印刷が行われる。
【００５２】
自動作成により提示された帳票形式テーブルでは、各項目４９についての表示形式や、その項目４９における小項目５４、例えば器官名についての並び順に不満がある場合もある。また、試験担当者の新たな発想により、表示形式や並び順を変更して帳票を出力したいこともある。この場合には、帳票修正ボタン５０をクリックして修正を選択することができる（Ｓ７〜Ｓ９）。修正する場合には、各項目４９のチェックボックスへのチェックの有無、ＯＮ、ＯＦＦのラジオボタン５２の選択のやり直し、順位の変更や追加・削除などを行う。順位の変更では、変更したい小項目（器官名）５４を例えばマウスの右クリックで選択した状態でドラッグして、新たな表示位置でドロップすることで表示位置を変えて順番を入れ換えることができる
【００５３】
また、新たな小項目５４の追加も可能であり、この場合には、追加ボタン５３をクリックして、新たに追加する小項目５４を１行分新たに表示させ、これを入れたい項目の間にドラックしてドロップすることにより、新規小項目５４が追加される。小項目５４を削除する場合には、削除したい小項目５４を右クリックして選択状態にし、この後、削除ボタン５５までドラックした後ドロップすることで、小項目５４を削除することができる。
【００５４】
このようにして各項目４９の表示内容を変更した場合には、図５に示すテンプレート作成手段６５により、この変更後の帳票形式テーブルによってテンプレートが作成される。具体的には、帳票形式テーブル上での各項目の変更は、テンプレート上で反映されるように、データ挿入手段６６によって項目やデータの挿入位置が入れ換えられて、新たなテンプレートが作成されることで行われる。修正した帳票形式テーブルで良ければ、帳票修正確認ボタン５６をクリックすることにより、帳票のデータ入力欄に対応するデータが入れられて帳票４７，４８が作成される。作成された帳票４７，４８はディスプレイ２７に表示される（Ｓ１０）。
【００５５】
これら帳票４７，４８を確認し、帳票４７，４８を出力したい場合には、帳票出力ボタン４５がクリックされることにより、作成された帳票４７，４８は、必要に応じてパスワードで保護されて保護データ格納部１９ｃ（図１参照）に格納される。また、帳票ファイルとして任意のメモリデバイスや記録デバイスに帳票ファイルを出力することができる。さらに、必要があれば、印刷ボタンがクリックされることにより印刷が行われる。
【００５６】
なお、本形態では、小項目５４についてのみ、追加・削除、順序の入れ換えを行うようにしたが、必要に応じて、項目４９の追加・削除、順序の入れ換えを行ってもよい。この場合には、各項目４９についても、小項目５４と同様の手順及び操作により、追加・削除、順序の入れ換えを行う。
【００５７】
また、帳票出力ボタン４５や印刷ボタンがクリックされると、修正して新たに作成された帳票に識別ＩＤが付けられて、この識別ＩＤで指定された試験種別における帳票形式テーブル毎の使用頻度（帳票形式テーブルとテンプレートとは１対１での対応がなされているので、テンプレート毎の使用頻度でも同義である。）が算出されて、試験頻度データテーブル４３として履歴データ格納部１９ｂに格納される。また、小項目、例えば器官名の並び順についてもその出現頻度が算出されて、出現頻度データテーブル４４として履歴データ格納部１９ｂに格納される（Ｓ１１）。さらに、帳票形式テーブル記憶手段に、修正されて新たに作成された帳票形式テーブルがその形式タイプと共に、記憶される。
【００５８】
テンプレート毎（帳票形式テーブル毎）の使用頻度Ｆs,fは以下の数式を用いて算出される。
【数３】
2012078934.tif 000005
【００５９】
さらに、データ出力順位の各試験種別における出現頻度Ｏs,dは、以下の数式を用いて算出される。
【数４】
2012078934.tif 000006
【００６０】
なお、各頻度の求め方は上記算出以外の方法でもよく、要するに、最もよく使用される帳票形式や出現頻度を特定することができる方法であれば、頻度算出は特に限定されない。
【００６１】
本実施形態では、各試験において用いた帳票出力形式タイプ毎に使用頻度を算出し、使用頻度を帳票出力毎に更新しているので、次の帳票出力の際には最新の使用頻度を用いて、使用頻度の最も高い帳票を帳票出力形式テーブルとしてユーザに提示することができ、ユーザは各種試験の度に帳票出力形式を設定する必要が少なくなり、効率よく帳票を出力することができる。しかも、使用頻度が高い帳票出力形式を用いるので、自動提示された帳票が採用される傾向が高く、効率の良い帳票作成が可能になる。
【００６２】
また、帳票４７，４８を修正する場合にも、最も使用頻度の高いものをベースにして修正することができ、その分だけ修正する箇所が少なくなり、新たな帳票４７，４８の作成も効率良く行うことができる。
【００６３】
（第２実施形態）
上記第１実施形態では、各ユーザ毎に使用頻度を更新したが、これに代えて、または加えて、ユーザ所属グループ毎に使用頻度を求めて更新してもよい。さらには全ユーザの使用頻度を求めて、更新してもよい。この場合には、帳票出力を選択したときに、用いる使用頻度を選択可能にする。例えば、デフォルトでは各ユーザ毎の使用頻度を用い、必要に応じて、各研究室毎のユーザ所属グループ毎の使用頻度や、全ユーザの使用頻度を選択して、選択した使用頻度を用いた帳票出力形式タイプをディスプレイに表示する。この第２実施形態では、使用頻度をユーザ個人に限らず、同種の試験や研究を行うグループ毎の使用頻度や、さらには総ユーザによる使用頻度を用いることで、ユーザ個人の志向性や独自性をオーバーラップさせた状態で他のユーザの帳票使用傾向も反映させることができ、その分だけ傾向の異なる帳票を出力させることができる。
【００６４】
（第３実施形態）
上記第２実施形態では、ユーザの選択行為が反映された使用頻度の高い帳票を提示することができるが、第３実施形態では、視点を代えた他のユーザの立場で帳票を出力したい場合を考慮したものであり、他のユーザーの使用履歴や他の研究グループの使用履歴を用いて帳票を自動提示する。この場合には、帳票出力を選択したときに、用いる使用頻度を、自己を含む使用頻度の枠を超えて、他のユーザや他の研究室のユーザ所属グループ毎の使用頻度を選択可能にして、選択した使用頻度を用いた帳票出力形式タイプをディスプレイに表示する。
【００６５】
上記実施形態では、ＬＡＮで帳票出力端末とＤＢサーバとを接続した状態で帳票作成支援システムを構成しているが、ＤＢサーバを使用せずに、スタンドアローン型のコンピュータ内に各種データを格納しておき、実施してもよい。
【００６６】
また、ＤＢが構築されるデータ格納装置としては、ＤＢサーバ以外でもよく、例えば、ＮＡＳ（Network Attached Storage）、ＳＡＮ（Storage Area Network）といったネットワークを介して接続するストレージデバイスを使用してもよい。このように、コンピュータシステムの物理構成は適宜変更が可能である。
【００６７】
上記実施形態では、ネットワークとしてＬＡＮを例に説明しているが、研究室が複数の拠点に分散しているような場合には、ネットワークとしてＬＡＮとＷＡＮ（Wide Area Network）を組み合わせて使用してもよい。
【００６８】
なお、上記実施形態で示したとおり、本発明は、プログラムの形態、さらにはプログラムを記憶する記憶媒体にもおよぶことはもちろんである。
【符号の説明】
【００６９】
１３  帳票作成端末
１５  データベース（ＤＢ）サーバ
４６  テンプレート
４７，４８  帳票
【図１】
2012078934.tif 000009
【図２】
2012078934.tif 000010
【図３】
2012078934.tif 000011
【図４】
2012078934.tif 000012
【図５】
2012078934.tif 000013
【図６】
2012078934.tif 000014
【図７】
2012078934.tif 000015
【図８】
2012078934.tif 000016
【図９】
2012078934.tif 000017
【図１０】
2012078934.tif 000018
【図１１】
2012078934.tif 000019